(57)【特許請求の範囲】
【請求項１】
所定エリアに存在する移動局宛ての信号を受信する受信部と、
前記受信した信号の種別を特定し、前記受信した信号が前記移動局を呼び出すための呼出信号であると特定された場合、前記呼出信号から着信先の前記移動局の識別情報である着信先識別情報を抽出する特定部と、
前記特定部によって抽出された前記着信先識別情報が自局のセルに在圏する移動局である在圏移動局を表す場合に、該在圏移動局に対する着信があった旨を示すメッセージを所定の出力部に出力させる通知部と、
緊急性を示す緊急情報に対応して、当該緊急情報の種類ごとに内容が異なるメッセージを記憶する第２メッセージ記憶部と、
前記受信部が前記信号として前記呼出信号を受信した場合に、前記呼出信号に前記緊急情報が含まれているか否かを判定する緊急性判定部と
を備え、
前記特定部は、前記緊急性判定部によって前記呼出信号に前記緊急情報が含まれていると判定された場合に、前記着信先識別情報に代えて、前記緊急情報を前記呼出信号から抽出し、
前記通知部は、前記第２メッセージ記憶部に記憶された前記メッセージの中から、前記特定部によって抽出された前記緊急情報に対応する前記メッセージを取得して前記出力部に出力させることを特徴とする基地局。
【請求項２】
前記通知部によって前記メッセージが出力されると、前記受信部によって受信された前記信号を前記移動局に転送する転送部をさらに備えたことを特徴とする請求項１に記載の基地局。
【請求項３】
前記在圏移動局の識別情報と前記在圏移動局に対する着信の種類との組合せに対応して、当該組合せごとに内容が異なる前記メッセージを記憶する第１メッセージ記憶部をさらに備え、
前記特定部は、前記緊急性判定部によって前記呼出信号に前記緊急情報が含まれていないと判定された場合に、前記着信先識別情報とともに、着信先の前記移動局に対する着信の種類を前記呼出信号から抽出し、
前記通知部は、前記着信先識別情報が前記第１メッセージ記憶部に記憶された前記在圏移動局の識別情報と一致する場合に、前記第１メッセージ記憶部に記憶された前記メッセージの中から前記着信先識別情報と前記着信の種類との組合せに対応する前記メッセージを取得して前記出力部に出力させることを特徴とする請求項１又は２に記載の基地局。
【請求項４】
前記第１メッセージ記憶部又は前記第２メッセージ記憶部に記憶されたメッセージの内容を編集する編集部をさらに備えたことを特徴とする請求項１又は３に記載の基地局。
【請求項５】
前記通知部は、前記出力部に出力されるメッセージを当該基地局と通信可能な他の装置にも出力させることを特徴とする請求項１〜４のいずれか一つに記載の基地局。
【請求項６】
前記呼出信号は、ページング（Paging）信号であり、前記識別情報は、前記ページング信号に含まれる、移動局固有のＩＭＳＩ（International  Mobile  Subscriber  Identity）であることを特徴とする請求項１〜５のいずれか一つに記載の基地局。
【請求項７】
基地局と移動局とを含む無線通信システムであって、
前記基地局は、
所定エリアに存在する前記移動局宛ての信号を受信する受信部と、
前記受信した信号の種別を特定し、前記受信した信号が前記移動局を呼び出すための呼出信号であると特定された場合、前記呼出信号から着信先の前記移動局の識別情報である着信先識別情報を抽出する特定部と、
前記特定部によって抽出された前記着信先識別情報が自局のセルに在圏する移動局である在圏移動局を表す場合に、該在圏移動局に対する着信があった旨を示すメッセージを所定の出力部に出力させる通知部と、
前記通知部によって前記メッセージが出力されると、前記受信部によって受信された前記呼出信号を前記在圏移動局に転送する転送部と、
緊急性を示す緊急情報に対応して、当該緊急情報の種類ごとに内容が異なるメッセージを記憶する第２メッセージ記憶部と、
前記受信部が前記信号として前記呼出信号を受信した場合に、前記呼出信号に前記緊急情報が含まれているか否かを判定する緊急性判定部と
を備え、
前記移動局は、
前記基地局によって転送される前記呼出信号を受信する受信部を備え、
前記特定部は、前記緊急性判定部によって前記呼出信号に前記緊急情報が含まれていると判定された場合に、前記着信先識別情報に代えて、前記緊急情報を前記呼出信号から抽出し、
前記通知部は、前記第２メッセージ記憶部に記憶された前記メッセージの中から、前記特定部によって抽出された前記緊急情報に対応する前記メッセージを取得して前記出力部に出力させることを特徴とする無線通信システム。
【請求項８】
緊急性を示す緊急情報に対応して、当該緊急情報の種類ごとに内容が異なるメッセージを記憶する記憶部を備える基地局により実行される基地局制御方法であって、
所定エリアに存在する移動局宛ての信号を受信し、
前記受信した信号の種別を特定し、前記受信した信号が前記移動局を呼び出すための呼出信号であると特定された場合、前記呼出信号から着信先の前記移動局の識別情報である着信先識別情報を抽出し、
前記抽出された前記着信先識別情報が自局のセルに在圏する移動局である在圏移動局を表す場合に、該在圏移動局に対する着信があった旨を示すメッセージを所定の出力部に出力させ、
前記信号として前記呼出信号が受信された場合に、前記呼出信号に前記緊急情報が含まれているか否かを判定する
処理を含み、
前記着信先識別情報を抽出する処理は、前記呼出信号に前記緊急情報が含まれていると判定された場合に、前記着信先識別情報に代えて、前記緊急情報を前記呼出信号から抽出し、
前記メッセージを出力させる処理は、前記第２メッセージ記憶部に記憶された前記メッセージの中から、前記抽出された前記緊急情報に対応する前記メッセージを取得して前記出力部に出力させることを特徴とする基地局制御方法。
【発明の詳細な説明】
【技術分野】
【０００１】
本発明は、基地局、無線通信システム及び基地局制御方法に関する。
【背景技術】
【０００２】
移動網における移動局を呼び出す仕組みでは、まず、上位のネットワークは、移動局が在圏している基地局に対して、着信先の移動局を呼び出すための呼出信号を送信する。次に、基地局は、上位のネットワークから呼出信号を受信し、受信した呼出信号を移動ネットワークに在圏する移動局に転送する。そして、移動局の所有者は、移動局が呼出信号を受信したことを音声やLEDで通知されるので、自身の移動局に対する着信があった旨を確認することができる。
【０００３】
ところが、移動局の所有者が着信に気付かないことがある。例えば、移動局を鞄の中に入れている状況、所有者の所在している部屋と別の部屋に移動局が置かれている状況及び移動局のマナーモードが解除されていない状況など、所有者が移動局を直接視聴できない状況では、移動局の所有者が着信に気付き難くなる。
【０００４】
また、近年、既存の基地局よりも小さい範囲のセル(以下「フェムトセル」という)をカバーするフェムト基地局と呼ばれる基地局が知られている。各ユーザは、フェムト基地局を安価に購入することが出来るので、今後、家庭に１台のフェムト基地局を設置することが期待される。
【０００５】
ここで、最近では、所有者による移動局への着信の確認が困難である状況に関する対策として、家庭内など私的な空間において、移動局以外の外部装置に着信を表示させる技術が提案されている。この技術では、ホームスイッチが、上位のネットワークから呼出信号を受信し、受信した呼出信号を、移動局ではなく所有者近傍のディスプレイ装置に転送する。ディスプレイ装置は、移動局から転送された呼出信号に基づいて、移動局に対する着信があった旨を表示する。
【先行技術文献】
【特許文献】
【０００６】
【特許文献１】特開２０１０−２０６４９０号公報
【特許文献２】特開２００６−２８７８２９号公報
【発明の概要】
【発明が解決しようとする課題】
【０００７】
しかしながら、上述した従来の技術では、移動局に対する着信を移動局の所有者に気付かせることができるものの、一連の処理に伴う負荷が増大するという問題がある。
【０００８】
すなわち、上述した従来の技術では、呼出信号をホームスイッチから外部装置としてのディスプレイ装置に転送する場合に、呼出信号のプロトコルをディスプレイ装置が利用するプロトコルに変換する。このため、ディスプレイ装置のシステム情報をホームスイッチに組み込む必要がある。結果として、ホームスイッチは、システム情報を用いて、プロトコルの変換をするので、プロトコルの変換処理の分だけ処理負荷が増大する。
【０００９】
開示の技術は、上記に鑑みてなされたものであって、基地局がその管理者（所有者）とその関係者のみに利用される場合、所有者及びその関係者による移動局の確認が困難である状況でも、移動局に対する着信の通知に伴う処理負荷を低減することができる基地局、無線通信システム及び基地局制御方法を提供することを目的とする 。
【課題を解決するための手段】
【００１０】
本願の開示する基地局は、受信部と、特定部と、通知部とを備える。受信部は、所定エリアに存在する移動局に送信された信号を受信する。特定部は、前記信号を受信したチャネルに応じて、前記受信した信号の種別を特定する。通知部は、前記特定した信号の種別に基づいて決定されるメッセージを自局の外部に通知する。
【発明の効果】
【００１１】
本願の開示する基地局の一つの態様によれば、基地局がその管理者（所有者）とその関係者のみに利用される場合、所有者及びその関係者による移動局の確認が困難である状況でも、移動局に対する着信の通知に伴う処理負荷を低減することができるという効果を奏する。
【図面の簡単な説明】
【００１２】
【図１】図１は、本実施例に係る無線通信システムの構成を示す図である。
【図２】図２は、本実施例におけるフェムト基地局の構成を示す図である。
【図３】図３は、第１メッセージテーブルの一例を示す図である。
【図４】図４は、第２メッセージテーブルの一例を示す図である。
【図５】図５は、ページング信号のフォーマット例を示す図である。
【図６】図６は、本実施例における信号特定部の処理を説明するための図である。
【図７】図７は、本実施例に係る無線通信システムの処理手順を示すシーケンス図である。
【図８】図８は、本実施例におけるフェムト基地局によるメッセージ出力処理の処理手順を示すフローチャートである。
【発明を実施するための形態】
【００１３】
以下に、本願の開示する基地局、無線通信システム及び基地局制御方法を図面に基づいて詳細に説明する。なお、以下の実施例では、本願の開示する基地局を、フェムトセルをカバーするフェムト基地局に適用した場合について説明する。ただし、本願の開示する基地局は、フェムト基地局に限定されるものではく、通常のセルをカバーする既存の基地局にその機能を持たせてもよい。
【実施例】
【００１４】
まず、本実施例に係る無線通信システムの構成について、図１を参照して説明する。図１は、本実施例に係る無線通信システムの構成を示す図である。図１に示すように、本実施例に係る無線通信システムは、コアネットワーク部１とＩＰ網２を介して接続されたフェムト基地局１００と、フェムト基地局１００のフェムトセル１００ａに在圏する複数の移動局１１ａ〜１１ｃとを有する。なお、複数の移動局１１ａ〜１１ｃは、同一の構成を有するので、以下では、これら移動局１１ａ〜１１ｃを特に区別しない場合には、移動局１１と表記するものとする。
【００１５】
フェムト基地局１００は、建物内や地下などの比較的に電波が届きにくい場所に設置される小型の基地局である。具体的には、フェムト基地局１００は、既存の基地局がカバーするセルよりも小さい数ｍ〜数１０ｍの範囲をカバーするフェムトセル１００ａを形成している。フェムト基地局１００は、フェムトセル１００ａに在圏する移動局１１との間で無線通信を行う。
【００１６】
移動局１１は、移動可能な無線通信装置であり、例えば、携帯電話端末である。移動局１１は、自身が在圏するフェムトセル１００ａをカバーするフェムト基地局１００との間で無線通信を行う。
【００１７】
なお、コアネットワーク部１は、上位のネットワークであるコアネットワーク（ＣＮ：Core  Network）を構成するネットワークノード（上位局）を含む。ＣＮを構成するネットワークノードには、ＭＭＥ（Mobility  Management  Entity）と、Ｓ−ＧＷ（Serving‐Gate  Way）と、ＰＤＮ−ＧＷ（Packet  Data  Network‐Gate  Way）とが含まれる。このうち、ＭＭＥは、着信等を管理するノードである。Ｓ−ＧＷは、ＰＤＮ−ＧＷと基地局との間のスイッチを担うノードである。ＰＤＮ−ＧＷは、インターネットへの窓口となるノードである。
【００１８】
次に、本実施例に係る無線通信システムによる着信通知方法の説明を行う前に、その前提となる従来の着信通知方法について説明する。従来の着信通知方法では、まず、上位のネットワークでＣＮを構成する上位局が、着信先の移動局が登録されている位置登録エリアを探索する。そして、上位局は、着信先の移動局を呼び出すための信号であるページング信号を、位置登録エリアに存在する基地局全てに対して送信する。そして、基地局は、ページング信号用のチャネル（以下「ページングチャネル」）を用いてページング信号を受信する。そして、基地局は、ページングチャネルを用いて受信したページング信号を、移動局に対してブロードキャスト転送する。そして、ページング信号を受信した移動局は、ページング信号を受信したことを音声やＬＥＤを用いて外部に通知する。これにより、移動局の所有者は、移動局に対する着信があった旨を確認することができる。
【００１９】
ここで、ページング信号は、上位局によって暗号化されている。このため、ページングチャネルを用いてページング信号を受信した基地局は、通常、ページング信号の解読を行わない。これに対して、本実施例に係る無線通信システムでは、ページング信号の解読を行うことなく、ページング信号を受信した旨を移動局の所有者に通知する。
【００２０】
次に、本実施例に係る無線通信システムによる着信通知方法について説明する。本実施例に係る無線通信システムでは、まず、基地局が、所定エリアに存在する移動局に送信された信号を受信する。そして、基地局は、信号を受信したチャネルに応じて、受信した信号の種別を特定する。例えば、基地局は、信号を受信したチャネルがページングチャネルである場合に、受信した信号の種別をページング信号として特定する。そして、基地局は、特定した信号の種別に基づいて決定されるメッセージを自局の外部に通知する。例えば、基地局は、信号の種別がページング信号である場合に、ページング信号に予め対応付けられたメッセージを外部に通知する。
【００２１】
次に、本実施例に係る無線通信システムによる着信通知方法の具体例について、図１を用いて説明する。図１に示すフェムト基地局１００は、着信先の移動局を呼び出すための信号であるページング信号をＩＰ網２を介してコアネットワーク部１から受信する。ページング信号は、呼出信号の一例である。
【００２２】
そして、フェムト基地局１００は、受信した信号の種別としてページング信号を特定し、特定したページング信号から着信先の移動局の識別情報であるＩＭＳＩ（International  Mobile  Subscriber  Identity）を抽出する。ＩＭＳＩは、識別情報の一例である。 
【００２３】
なお、ページング信号からＩＭＳＩを抽出する手法としては、例えば、ページング信号の暗号化規則を予めフェムト基地局１００に格納しておく手法や、ＮＡＳ（Non Access Stratum）メッセージ形式をＲＲＣ（Radio Resource Control）メッセージ形式に変換する手法などを用いればよい。
【００２４】
そして、フェムト基地局１００は、抽出されたＩＭＳＩがフェムトセル１００ａに在圏する移動局１１を表す場合に、移動局１１に対する着信があった旨を示すメッセージを所定の出力部に出力させる。例えば、フェムト基地局１００は、移動局１１に対する着信があった旨を示すメッセージを、自身に搭載されたディスプレイに表示出力させる。また、例えば、フェムト基地局１００は、移動局１１に対する着信があった旨を示すメッセージを、自身に搭載されたスピーカに音声出力させる。
【００２５】
そして、フェムト基地局１００は、メッセージが出力されると、受信されたページング信号を移動局１１に転送する。
【００２６】
このように、本実施例では、フェムト基地局１００が、所定エリアに存在する移動局１１に送信された信号を受信する。そして、フェムト基地局１００が、信号を受信したチャネルに応じて、受信した信号の種別を特定する。そして、フェムト基地局１００が、特定した信号の種別に基づいて決定されるメッセージを自局の外部に通知する。
【００２７】
例えば、フェムト基地局１００が、ページング信号からＩＭＳＩを抽出し、抽出したＩＭＳＩがフェムトセル１００ａに在圏する移動局１１を表す場合に、移動局１１に対する着信があった旨を示すメッセージを出力部に出力させる。ここで、ページング信号にはＩＭＳＩが含まれることが予め規定されているので、ページング信号からＩＭＳＩを抽出する処理の処理負荷は、ページング信号のプロトコルを外部装置が利用するプロトコルに変換する処理よりも小さい。このため、フェムト基地局１００は、プロトコルの変換処理を行う従来の技術と比較して、メッセージの出力に伴う処理負荷を削減することができる。また、フェムト基地局１００は、プロトコルの変換処理を不要化するので、着信があった旨を示すメッセージを移動局１１の所有者に対して早期に提示することができる。結果として、所有者による移動局１１の確認が困難である状況でも、処理負荷を低減しつつ移動局１１に対する着信を所有者に迅速に気付かせることができる。
【００２８】
なお、以下の説明では、 上述したように、基地局は、在圏する移動局に着信があるときに、メッセージを出力することとして説明するが、基地局が呼び出し信号(ページング信号)の受信を検出し、メッセージを出力することとしても良い。
【００２９】
次に、図１に示したフェムト基地局１００の具体的な構成について、図２を用いて説明する。図２は、本実施例におけるフェムト基地局１００の構成を示す図である。図２に示すように、フェムト基地局１００は、通信Ｉ／Ｆ（Interface）部１０１、ＢＢ（Base  Band）処理部１０２、送受信機（ＴＲＸ：Transmitter  and  Receiver）１０３及び増幅器（ＰＡ：Power  Amplifier）１０４を有する。また、フェムト基地局１００は、デュプレクサ（ＤＵＰ：Duplexer）１０５、低雑音増幅器（ＬＮＡ：Low  noise  amplifier）１０６、ディスプレイ１０７、ディスプレイ駆動回路１０８、スピーカ１０９及びスピーカ駆動回路１１０を有する。また、フェムト基地局１００は、記憶部１２０、アプリケーション部１３０及び編集部１４０を有する。
【００３０】
通信Ｉ／Ｆ部１０１は、ＩＰ網２と接続されており、ＩＰ網２を介してコアネットワーク部１との間で各種の信号や情報の送受信を行う。例えば、通信Ｉ／Ｆ部１０１は、コアネットワーク部１から送信されるページング信号をＩＰ網２を介して受信する。
【００３１】
ＢＢ処理部１０２は、送信信号や受信信号に対してベースバンド処理を行う。例えば、ＢＢ処理部１０２は、アプリケーション部１３０の後述する呼出信号転送部から入力されたページング信号に対して、符号化処理等のベースバンド処理を行う。ＴＲＸ１０３は、送信信号や受信信号に対して各種の送受信処理を行う。例えば、ＴＲＸ１０３は、ＢＢ処理部１０２から入力されたページング信号に対して変調処理を行う。ＰＡ１０４は、送信信号を増幅する。ＤＵＰ１０５は、ＰＡ１０４から入力される信号をアンテナを介して移動局１１へ送信するとともに、アンテナを介して移動局１１から受信した信号をＬＮＡ１０６へ出力する。ＬＮＡ１０６は、受信信号を低雑音増幅する。
【００３２】
ディスプレイ１０７は、各種の情報を表示出力する表示装置である。例えば、ディスプレイ１０７は、移動局１１に対する着信があった旨を示すメッセージを文字により表示出力する。ディスプレイ駆動回路１０８は、ディスプレイ１０７を駆動する回路である。
【００３３】
スピーカ１０９は、各種の情報を音声出力する音声出力装置である。例えば、スピーカ１０９は、移動局１１に対する着信があった旨を示すメッセージを音声によりアナウンス出力する。スピーカ駆動回路１１０は、スピーカ１０９を駆動する回路である。
【００３４】
記憶部１２０は、各種情報を記憶する記憶デバイスであり、第１メッセージテーブル１２１及び第２メッセージテーブル１２２を有する。第１メッセージテーブル１２１は、フェムトセル１００ａに在圏する移動局１１のＩＭＳＩと移動局１１に対する着信の種類との組合せに対応して、当該組合せごとに内容が異なるメッセージを記憶する。
【００３５】
第１メッセージテーブル１２１の一例を図３に示す。図３に示すように、第１メッセージテーブル１２１は、ＩＭＳＩ、種類、所有者、メッセージといった項目を有する。「ＩＭＳＩ」は、フェムトセル１００ａに在圏する移動局１１のＩＭＳＩを示す。例えば、「３５９４ｘｘｘ」は、フェムトセル１００ａに在圏する移動局１１ａのＩＭＳＩを示し、「３５９４ｙｙｙ」は、フェムトセル１００ａに在圏する移動局１１ｂのＩＭＳＩを示す。
【００３６】
「種類」は、ＩＭＳＩに対応する移動局１１に対する着信の種類である。「ＣＳ（ＣＳ：Circuit  Switching）」は、移動局１１に対する着信の種類が音声呼及び／又はビデオ呼であることを示す。「ＰＳ（ＰＳ：Packet Switching）」は、移動局１１に対する着信の種類がパケット呼であることを示す。
【００３７】
「所有者」は、ＩＭＳＩに対応する移動局１１の所有者である。例えば、ＩＭＳＩ「３５９４ｘｘｘ」が表す移動局１１ａの所有者は、「ママ」であり、ＩＭＳＩ「３５９４ｙｙｙ」が表す移動局１１ｂの所有者は、「子供」である。
【００３８】
「メッセージ」は、ＩＭＳＩに対応する移動局１１に対する着信があった旨を示すメッセージである。例えば、ＩＭＳＩ「３５９４ｘｘｘ」が表す移動局１１ａに対する着信があり、その着信の種類が音声呼「ＣＳ」である場合には、移動局１１ａに対する着信があった旨のメッセージ「ママ着信あり」が出力される。
【００３９】
第２メッセージテーブル１２２は、緊急性を示す緊急情報に対応して、当該緊急情報の種類ごとに内容が異なるメッセージを記憶する。
【００４０】
第２メッセージテーブル１２２の一例を図４に示す。図４に示すように、第２メッセージテーブル１２２は、ｅｔｗｓ−Ｉｎｄｉｃａｔｉｏｎ種別、ＳＩＢ内容、メッセージといった項目を有する。「ｅｔｗｓ−Ｉｎｄｉｃａｔｉｏｎ種別」は、ページング信号の「ｅｔｗｓ−Ｉｎｄｉｃａｔｉｏｎ」に設定された、ＥＴＷＳ（Earthquake  Tsunami  Warning  System）に関する緊急情報の種別を示す。「ＳＩＢ内容」は、ページング信号に報知情報として付加されたＳＩＢ（System  Information  Block）に記述された内容を示す。「メッセージ」は、「ＳＩＢ」に記述された内容を簡素化又は詳細化したメッセージであり、緊急情報の種別ごとに内容が異なるメッセージである。
【００４１】
アプリケーション部１３０は、呼出信号受信部１３１、緊急性判定部１３２、信号特定部１３３、メッセージ出力制御部１３４及び呼出信号転送部１３５を有する。
【００４２】
呼出信号受信部１３１は、ページング信号をコアネットワーク部１から受信する。具体的には、呼出信号受信部１３１は、通信Ｉ／Ｆ部１０１を介してＩＰ網２を監視し、ＩＰ網２を介してコアネットワーク部１から入力される信号を該信号のメッセージタイプ（Message  Type）により選別することにより、ページング信号を受信する。呼出信号受信部１３１は、受信されたページング信号を呼出信号転送部１３５に通知する。
【００４３】
ここで、ページング信号のフォーマット例について図５を用いて説明する。図５は、ページング信号のフォーマット例を示す図である。図５に示すように、ページング信号は、ｃｍａｓ−Ｉｎｄｉｃａｔｉｏｎ、ｃｎ−Ｄｍａｉｎ、ｅｔｗｓ−Ｉｎｄｉｃａｔｉｏｎ、ｉｍｓｉ、ｓｙｓｔｅｍＩｎｆｏＭｏｄｉｆｉｃａｔｉｏｎ及びｕｅ−Ｉｄｅｎｔｉｔｙといったフィールドを含む。
【００４４】
このうち、「ｃｎ−Ｄｍａｉｎ」には、移動局に対する着信の種類が設定される。ｃｎ−Ｄｍａｉｎに「ＣＳ」が設定された場合には、移動局に対する着信の種類が音声呼及び／又はビデオ呼であることを示し、「ＰＳ」が設定された場合には、移動局に対する着信の種類がパケット呼であることを示す。
【００４５】
また、ｅｔｗｓ−Ｉｎｄｉｃａｔｉｏｎには、ＥＴＷＳに関する緊急情報の種別が設定される。ｅｔｗｓ−Ｉｎｄｉｃａｔｉｏｎに「ｐｒｉｍａｒｙ  ｎｏｔｉｆｉｃａｔｉｏｎ」が設定された場合には、所定のサーバから提供される地震速報等の報知情報から最低限必要な情報のみを抽出した第１報が緊急情報としてページング信号に付加されたことを示す。ｅｔｗｓ−Ｉｎｄｉｃａｔｉｏｎに「ｓｅｃｏｎｄａｒｙ  ｎｏｔｉｆｉｃａｔｉｏｎ」が設定された場合には、第１報よりも詳細な情報である第２報が緊急情報としてページング信号に付加されたことを示す。ｅｔｗｓ−Ｉｎｄｉｃａｔｉｏｎに「ｐｒｉｍａｒｙ  ｎｏｔｉｆｉｃａｔｉｏｎ」及び「ｓｅｃｏｎｄａｒｙ  ｎｏｔｉｆｉｃａｔｉｏｎ」が設定された場合には、第１報及び第２報が報知情報としてページング信号に付加されたことを示す。なお、ｅｔｗｓ−Ｉｎｄｉｃａｔｉｏｎに「ｐｒｉｍａｒｙ  ｎｏｔｉｆｉｃａｔｉｏｎ」又は「ｓｅｃｏｎｄａｒｙ  ｎｏｔｉｆｉｃａｔｉｏｎ」のいずれも設定されていない場合には、緊急情報がページング信号に付加されていないことを示す。
【００４６】
また、ｉｍｓｉには、移動局固有の識別情報であるＩＭＳＩが設定される。
【００４７】
図２に戻り、緊急性判定部１３２は、ページング信号に緊急性を示す緊急情報が含まれているか否かを判定する。具体的には、緊急性判定部１３２は、呼出信号受信部１３１によって受信されたページング信号のｅｔｗｓ−Ｉｎｄｉｃａｔｉｏｎを監視する。そして、緊急性判定部１３２は、ページング信号のｅｔｗｓ−Ｉｎｄｉｃａｔｉｏｎに「ｐｒｉｍａｒｙ  ｎｏｔｉｆｉｃａｔｉｏｎ」及び／又は「ｓｅｃｏｎｄａｒｙ  ｎｏｔｉｆｉｃａｔｉｏｎ」が含まれているか否かを判定する。そして、緊急性判定部１３２は、ｅｔｗｓ−Ｉｎｄｉｃａｔｉｏｎに「ｐｒｉｍａｒｙ  ｎｏｔｉｆｉｃａｔｉｏｎ」及び／又は「ｓｅｃｏｎｄａｒｙ  ｎｏｔｉｆｉｃａｔｉｏｎ」が含まれる場合に、ページング信号に緊急情報が含まれていると判定する。一方、緊急性判定部１３２は、ｅｔｗｓ−Ｉｎｄｉｃａｔｉｏｎに「ｐｒｉｍａｒｙ  ｎｏｔｉｆｉｃａｔｉｏｎ」又は「ｓｅｃｏｎｄａｒｙ  ｎｏｔｉｆｉｃａｔｉｏｎ」のいずれも含まれない場合に、ページング信号に緊急情報が含まれていないと判定する。そして、緊急性判定部１３２は、判定結果を信号特定部１３３に通知する。
【００４８】
信号特定部１３３は、ページング信号を受信したチャネルに応じて、受信した信号の種別を特定する。例えば、信号特定部１３３は、ページング信号用に予め定められた周波数帯域であるページングチャネルから信号を受信した場合に、受信した信号をページング信号と特定する。
【００４９】
信号特定部１３３は、受信した信号の種別としてページング信号を特定し、特定したページング信号から着信先の移動局の識別情報である着信先識別情報を抽出する。具体的には、信号特定部１３３は、緊急性判定部１３２から通知される判定結果を受け付ける。そして、信号特定部１３３は、ページング信号のｅｔｗｓ−Ｉｎｄｉｃａｔｉｏｎに「ｐｒｉｍａｒｙ  ｎｏｔｉｆｉｃａｔｉｏｎ」又は「ｓｅｃｏｎｄａｒｙ  ｎｏｔｉｆｉｃａｔｉｏｎ」のいずれも含まれていないことを通知された場合、以下の処理を行う。すなわち、信号特定部１３３は、ページング信号のｉｍｓｉから着信先の移動局のＩＭＳＩを抽出するとともに、ページング信号のｃｎ−Ｄｏｍａｉｎから移動局に対する着信の種類を抽出する。例えば、信号特定部１３３は、図６に示すように、着信先の移動局のＩＭＳＩ「３５９４ｘｘｘ」とともに、着信先の移動局に対する着信の種類「ＰＳ」を抽出する。なお、図６は、本実施例における信号特定部１３３の処理を説明するための図である。
【００５０】
そして、信号特定部１３３は、着信先の移動局のＩＭＳＩと着信の種類との組合せの情報をメッセージ出力制御部１３４に通知する。
【００５１】
一方、信号特定部１３３は、ページング信号のｅｔｗｓ−Ｉｎｄｉｃａｔｉｏｎに「ｐｒｉｍａｒｙ  ｎｏｔｉｆｉｃａｔｉｏｎ」及び／又は「ｓｅｃｏｎｄａｒｙ  ｎｏｔｉｆｉｃａｔｉｏｎ」が含まれていることを通知された場合、以下の処理を行う。すなわち、信号特定部１３３は、着信先の移動局のＩＭＳＩに代えて、緊急情報をページング信号から抽出する。例えば、信号特定部１３３は、ｅｔｗｓ−Ｉｎｄｉｃａｔｉｏｎ、第１報及び第２報を緊急情報としてページング信号から抽出する。そして、信号特定部１３３は、緊急情報をメッセージ出力制御部１３４に通知する。
【００５２】
メッセージ出力制御部１３４は、特定した信号の種別に基づいて決定されるメッセージをフェムト基地局１００の外部に通知する。メッセージ出力制御部１３４は、通知部の一例である。
【００５３】
ここで、メッセージ出力制御部１３４による処理の一例を説明する。メッセージ出力制御部１３４は、信号特定部１３３によって抽出された着信先識別情報がフェムトセル１００ａに在圏する移動局１１を表す場合に、移動局１１に対する着信があった旨を示すメッセージをディスプレイ１０７及び／又はスピーカ１０９に出力させる制御を行なう。具体的には、メッセージ出力制御部１３４は、信号特定部１３３から通知される着信先の移動局のＩＭＳＩと着信の種類との組合せを受け付けると、第１メッセージテーブル１２１を参照する。そして、メッセージ出力制御部１３４は、着信先の移動局のＩＭＳＩが第１メッセージテーブル１２１に記憶された移動局１１のＩＭＳＩと一致する場合に、以下の処理を行う。
【００５４】
すなわち、メッセージ出力制御部１３４は、第１メッセージテーブル１２１に記憶されたメッセージの中から、着信先の移動局のＩＭＳＩと着信の種類との組合せに対応するメッセージを取得する。そして、メッセージ出力制御部１３４は、取得したメッセージを、ディスプレイ駆動回路１０８を介してディスプレイ１０７に表示出力させるとともに、スピーカ駆動回路１１０を介してスピーカ１０９に音声出力させる。
【００５５】
例えば、メッセージ出力制御部１３４は、信号特定部１３３から着信先の移動局のＩＭＳＩ「３５９４ｘｘｘ」と着信の種類「ＰＳ」との組合せを受け付けると、図３に示した第１メッセージテーブル１２１を参照する。この場合には、メッセージ出力制御部１３４は、着信先の移動局のＩＭＳＩ「３５９４ｘｘｘ」が第１メッセージテーブル１２１に記憶された移動局１１のＩＭＳＩと一致するので、以下の処理を行う。すなわち、メッセージ出力制御部１３４は、着信先の移動局のＩＭＳＩ「３５９４ｘｘｘ」と着信の種類「ＰＳ」との組合せに対応するメッセージ「ママ、メールあったよ」を取得してディスプレイ１０７及び／又はスピーカ１０９に出力させる。
【００５６】
また、メッセージ出力制御部１３４は、信号特定部１３３から通知される緊急情報を受け付けると、第２メッセージテーブル１２２を参照する。そして、メッセージ出力制御部１３４は、第２メッセージテーブル１２２に記憶されたメッセージの中から、信号特定部１３３から通知された緊急情報に対応するメッセージを取得する。そして、メッセージ出力制御部１３４は、取得したメッセージを、ディスプレイ駆動回路１０８を介してディスプレイ１０７に表示出力させるとともに、スピーカ駆動回路１１０を介してスピーカ１０９に音声出力させる。
【００５７】
例えば、メッセージ出力制御部１３４は、信号特定部１３３からｅｔｗｓ−Ｉｎｄｉｃａｔｉｏｎ「ｐｒｉｍａｒｙ  ｎｏｔｉｆｉｃａｔｉｏｎ」及び第１報「地震」を緊急情報として受け付けると、図４に示した第２メッセージテーブル１２２を参照する。この場合には、メッセージ出力制御部１３４は、ｅｔｗｓ−Ｉｎｄｉｃａｔｉｏｎ「ｐｒｉｍａｒｙ  ｎｏｔｉｆｉｃａｔｉｏｎ」及び第１報「地震」に対応するメッセージ「地震が発生」を取得してディスプレイ１０７及び／又はスピーカ１０９に出力させる。
【００５８】
また、メッセージ出力制御部１３４は、ディスプレイ１０７及び／又はスピーカ１０９に出力されるメッセージを、フェムト基地局１００と通信可能な他の装置にも出力させる。例えば、メッセージ出力制御部１３４は、ディスプレイ１０７及び／又はスピーカ１０９に出力されるメッセージを、フェムト基地局１００と有線又は無線で接続された子機等の装置に出力させる。
【００５９】
呼出信号転送部１３５は、メッセージ出力制御部１３４によってメッセージが出力されると、呼出信号受信部１３１によって受信されたページング信号を移動局１１に転送する。具体的には、呼出信号転送部１３５は、ＢＢ処理部１０２、ＴＲＸ１０３、ＰＡ１０４、ＤＵＰ１０５を介してページング信号を移動局１１に転送する。呼出信号転送部１３５は、転送部の一例である。
【００６０】
編集部１４０は、第１メッセージテーブル１２１又は第２メッセージテーブル１２２に記憶されたメッセージの内容を編集する。具体的には、編集部１４０は、第１メッセージテーブル１２１又は第２メッセージテーブル１２２に記憶された情報を編集する操作を受け付けるための画面等を所定の表示部に表示する。そして、編集部１４０は、かかる画面上において、編集内容を受け付け、受け付けた編集内容に基づいて、第１メッセージテーブル１２１又は第２メッセージテーブル１２２に記憶されたメッセージの内容を編集する。これにより、メッセージの内容を所望の内容に変更することができる。
【００６１】
また、本実施例における移動局１１は、ＲＦ（Radio Frequency）部等の受信部を備えている。この受信部は、フェムト基地局１００によって転送されるページング信号やその他の情報を受信する。
【００６２】
なお、上述したアプリケーション部１３０の呼出信号受信部１３１、緊急性判定部１３２、信号特定部１３３、メッセージ出力制御部１３４及び呼出信号転送部１３５、並びに、編集部１４０は、例えば、集積回路又は電子回路である。集積回路は、例えば、ＡＳＩＣ（Application  Specific  Integrated Circuit）やＦＰＧＡ（Field  Programmable  Gate  Array）等である。電子回路は、例えば、ＣＰＵ（Central  Processing  Unit）やＭＰＵ（Micro  Processing  Unit）等である。
【００６３】
また、上述した記憶部１２０の第１メッセージテーブル１２１及び第２メッセージテーブル１２２は、例えば、半導体メモリ素子又は記憶装置である。半導体メモリ素子は、例えば、ＲＡＭ（Random  Access  Memory)、ＲＯＭ（Read  Only  Memory)、フラッシュメモリ（Flash  Memory）等である。記憶装置は、例えば、ＨＤＤ（Hard  Disc  Drive）、光ディスク等である。
【００６４】
次に、本実施例に係る無線通信システムの処理手順について、図７を用いて説明する。図７は、本実施例に係る無線通信システムの処理手順を示すシーケンス図である。
【００６５】
図７に示すように、コアネットワーク部１のＰＤＮ−ＧＷ１ｃは、インターネットを介してパケットデータを取得すると（ステップＳ１１）、取得したパケットデータをＳ−ＧＷ１ｂに転送する（ステップＳ１２）。パケットデータを受信したＳ−ＧＷ１ｂは、受信したパケットデータの内容を示すＤｏｗｎｌｉｎｋ  Ｄａｔａ  Ｎｏｔｉｆｉｃａｔｉｏｎ信号をＭＭＥ１ａに送信する（ステップＳ１３）。Ｄｏｗｎｌｉｎｋ  Ｄａｔａ  Ｎｏｔｉｆｉｃａｉｏｎ信号を受信したＭＭＥ１ａは、Ｄｏｗｎｌｉｎｋ  Ｄａｔａ  Ｎｏｔｉｆｉｃａｔｉｏｎ  Ａｃｋ信号をＳ−ＧＷ１ｂに返信する（ステップＳ１４）。
【００６６】
また、Ｄｏｗｎｌｉｎｋ  Ｄａｔａ  Ｎｏｔｉｆｉｃａｉｏｎ信号を受信したＭＭＥ１ａは、ページング信号をフェムト基地局１００に送信する（ステップＳ１５）。ここで、ＭＭＥ１ａによって送信されたページング信号には、着信先の移動局のＩＭＳＩとして移動局１１のＩＭＳＩが含まれているものとする。また、ＭＭＥ１ａによって送信されたページング信号には、着信の種類としてパケット呼（ＰＳ）が含まれているものとする。
【００６７】
ページング信号を受信したフェムト基地局１００は、メッセージ出力処理を実行する（ステップＳ１６）。このメッセージ出力処理は、図８におけるステップＳ３１〜Ｓ３８までの処理であり、後述する。
【００６８】
移動局１１は、フェムト基地局１００から転送されるページング信号を受信する（ステップＳ１７）。ページング信号を受信した移動局１１は、ＲＲＣ  Ｃｏｎｎｅｃｔｉｏｎ  Ｒｅｑｕｅｓｔ信号をフェムト基地局１００に送信する（ステップＳ１８）。ＲＲＣ  Ｃｏｎｎｅｃｔｉｏｎ  Ｒｅｑｕｅｓｔ信号を受信したフェムト基地局１００は、ＲＲＣ  Ｃｏｎｎｎｅｃｔｉｏｎ  Ｓｅｔｕｐ信号を移動局１１に送信する（ステップＳ１９）。ＲＲＣ  Ｃｏｎｎｎｅｃｔｉｏｎ  Ｓｅｔｕｐ信号を受信した移動局１１は、ＲＲＣ  Ｃｏｎｎｅｃｔｉｏｎ  Ｓｅｔｕｐ  Ｃｏｍｐｌｅｔｅ信号をフェムト基地局１００に返信する（ステップＳ２０）。ＲＲＣ  Ｃｏｎｎｅｃｔｉｏｎ  Ｓｅｔｕｐ  Ｃｏｍｐｌｅｔｅ信号を受信したフェムト基地局１００は、Ｉｎｉｔｉａｌ  ＵＥ  Ｍｅｓｓａｇｅ信号をＭＭＥ１ａに送信する（ステップＳ２１）。
【００６９】
Ｉｎｉｔｉａｌ  ＵＥ  Ｍｅｓｓａｇｅ信号を受信したＭＭＥ１ａは、Ｉｎｉｔｉａｌ  Ｃｏｎｔｅｘｔ  Ｓｅｔｕｐ  Ｒｅｑｕｅｓｔ信号をフェムト基地局１００に送信する（ステップＳ２２）。Ｉｎｉｔｉａｌ  Ｃｏｎｔｅｘｔ  Ｓｅｔｕｐ  Ｒｅｑｕｅｓｔ信号を受信したフェムト基地局１００は、Ｓｅｃｕｒｉｔｙ  Ｍｏｄｅ  Ｃｏｍｍａｎｄ信号を移動局１１に送信する（ステップＳ２３）。また、Ｉｎｉｔｉａｌ  Ｃｏｎｔｅｘｔ  Ｓｅｔｕｐ  Ｒｅｑｕｅｓｔ信号を受信したフェムト基地局１００は、ＲＲＣ  Ｃｏｎｎｅｃｔｉｏｎ  Ｒｅｃｏｎｆｉｇｕｒａｔｉｏｎ信号を移動局１１に送信する（ステップＳ２４）。
【００７０】
Ｓｅｃｕｒｉｔｙ  Ｍｏｄｅ  Ｃｏｍｍａｎｄ信号及びＲＲＣ  Ｃｏｎｎｅｃｔｉｏｎ  Ｒｅｃｏｎｆｉｇｕｒａｔｉｏｎ信号を受信した移動局１１は、Ｓｅｃｕｒｉｔｙ  Ｍｏｄｅ  Ｃｏｍｐｌｅｔｅ信号をフェムト基地局１００に返信する（ステップＳ２５）。また、移動局１１は、ＲＲＣ  Ｃｏｎｎｅｃｔｉｏｎ  Ｒｅｃｏｎｆｉｇｕｒａｔｉｏｎ  Ｃｏｍｐｌｅｔｅ信号をフェムト基地局１００に返信する（ステップＳ２６）。ＲＲＣ  Ｃｏｎｎｅｃｔｉｏｎ  Ｒｅｃｏｎｆｉｇｕｒａｔｉｏｎ  Ｃｏｍｐｌｅｔｅ信号を受信したフェムト基地局１００は、Ｉｎｉｔｉａｌ  Ｃｏｎｔｅｘｔ  Ｓｅｔｕｐ  Ｒｅｓｐｏｎｓｅ信号をＭＭＥ１ａに送信する（ステップＳ２７）。
【００７１】
Ｉｎｉｔｉａｌ  Ｃｏｎｔｅｘｔ  Ｓｅｔｕｐ  Ｒｅｓｐｏｎｓｅ信号を受信したＭＭＥ１ａは、Ｍｏｄｉｆｙ  Ｂｅａｒｅｒ  Ｒｅｑｕｅｓｔ信号をＳ−ＧＷ１ｂに送信する（ステップＳ２８）。Ｍｏｄｉｆｙ  Ｂｅａｒｅｒ  Ｒｅｑｕｅｓｔ信号を受信したＳ−ＧＷ１ｂは、Ｍｏｄｉｆｙ  Ｂｅａｒｅｒ  Ｒｅｓｐｏｎｓｅ信号をＭＭＥ１ａに返信する（ステップＳ２９）。そして、Ｓ−ＧＷ１ｂは、ＰＤＮ−ＧＷ１ｃから受信したパケットデータを、ＭＭＥ１ａ及びフェムト基地局１００を介して移動局１１に送信する（ステップＳ３０）。
【００７２】
続いて、ステップＳ１６におけるメッセージ出力処理について、図８を参照して具体的に説明する。図８は、本実施例におけるフェムト基地局１００によるメッセージ出力処理の処理手順を示すフローチャートである。
【００７３】
図８に示すように、呼出信号受信部１３１によってページング信号が受信されると（ステップＳ３１；Ｙｅｓ）、緊急性判定部１３２は、受信されたページング信号に緊急情報が含まれているか否かを判定する。すなわち、緊急性判定部１３２は、ページング信号のｅｔｗｓ−Ｉｎｄｉｃａｔｉｏｎに「ｐｒｉｍａｒｙ  ｎｏｔｉｆｉｃａｔｉｏｎ」及び／又は「ｓｅｃｏｎｄａｒｙ  ｎｏｔｉｆｉｃａｔｉｏｎ」が含まれているか否かを判定する（ステップＳ３２）。
【００７４】
そして、信号特定部１３３は、ｅｔｗｓ−Ｉｎｄｉｃａｔｉｏｎに「ｐｒｉｍａｒｙ  ｎｏｔｉｆｉｃａｔｉｏｎ」又は「ｓｅｃｏｎｄａｒｙ  ｎｏｔｉｆｉｃａｔｉｏｎ」のいずれも含まれていない場合に（ステップＳ３２；Ｎｏ）、以下の処理を行う。すなわち、信号特定部１３３は、ページング信号のｉｍｓｉから着信先の移動局のＩＭＳＩを抽出するとともに、ページング信号のｃｎ−Ｄｏｍａｉｎから移動局に対する着信の種類を抽出する（ステップＳ３３）。
【００７５】
そして、メッセージ出力制御部１３４は、信号特定部１３３から通知される着信先のＩＭＳＩと着信の種類との組合せを受け付けると、第１メッセージテーブル１２１を参照して、対応するメッセージを取得し（ステップＳ３４）、ステップＳ３７に移行する。
【００７６】
一方、信号特定部１３３は、ｅｔｗｓ−Ｉｎｄｉｃａｔｉｏｎに「ｐｒｉｍａｒｙ  ｎｏｔｉｆｉｃａｔｉｏｎ」及び／又は「ｓｅｃｏｎｄａｒｙ  ｎｏｔｉｆｉｃａｔｉｏｎ」が含まれている場合に（ステップＳ３２；Ｙｅｓ）、以下の処理を行う。すなわち、信号特定部１３３は、着信先の移動局のＩＭＳＩに代えて、緊急情報をページング信号から抽出する（ステップＳ３５）。
【００７７】
そして、メッセージ出力制御部１３４は、信号特定部１３３から通知される緊急情報を受け付けると、第２メッセージテーブル１２２を参照して、対応するメッセージを取得し（ステップＳ３６）、ステップＳ３７に移行する。
【００７８】
ステップＳ３７では、メッセージ出力制御部１３４は、ステップＳ３４又はステップＳ３６において取得したメッセージを、ディスプレイ１０７に表示出力させるとともに、スピーカ１０９に音声出力させる（ステップＳ３７）。そして、呼出信号転送部１３５は、呼出信号受信部１３１によって受信されたページング信号を移動局１１に転送する（ステップＳ３８）。
【００７９】
上述してきたように、本実施例のフェムト基地局１００は、ページング信号からＩＭＳＩを抽出し、抽出したＩＭＳＩがフェムトセル１００ａに在圏する移動局１１を表す場合に、移動局１１に対する着信があった旨を示すメッセージを出力部に出力させる。ここで、ページング信号にはＩＭＳＩが含まれることが予め規定されているので、ページング信号からＩＭＳＩを抽出する処理の処理負荷は、ページング信号のプロトコルを外部装置が利用するプロトコルに変換する処理よりも小さい。このため、フェムト基地局１００は、プロトコルの変換処理を行う従来の技術と比較して、メッセージの出力に伴う処理負荷を削減することができる。また、フェムト基地局１００は、プロトコルの変換処理を不要化するので、着信があった旨を示すメッセージを移動局１１の所有者に対して早期に提示することができる。結果として、本実施例のフェムト基地局１００は、所有者による移動局１１の確認が困難である状況でも、処理負荷を低減しつつ移動局１１に対する着信を所有者に迅速に気付かせることができる。さらに、フェムト基地局１００は、プロトコルの変換処理を不要化するので、プロトコルの変換処理を行う回路の分だけ回路規模の増大を抑えることができ、製造コストを削減することもできる。
【００８０】
また、本実施例のフェムト基地局１００は、着信先の移動局のＩＭＳＩとともに、着信先の移動局に対する着信の種類をページング信号から抽出する。そして、フェムト基地局１００は、着信先の移動局のＩＭＳＩがフェムトセル１００ａに在圏する移動局１１のＩＭＳＩと一致する場合に、着信先の移動局のＩＭＳＩと着信の種類との組合せごとに内容が異なるメッセージを出力部に出力させる。このため、フェムト基地局１００は、移動局１１に対する着信の種類が音声及び／又はビデオ呼であるのか、又は、パケット呼であるのかを所有者に識別させることができる。
【００８１】
また、本実施例のフェムト基地局１００は、ページング信号に緊急情報が含まれている場合に、着信先の移動局のＩＭＳＩに代えて、緊急情報をページング信号から抽出する。そして、フェムト基地局１００は、緊急情報の種類ごとに内容が異なるメッセージを出力部に出力させる。このため、フェムト基地局１００は、ＥＴＷＳに関する緊急情報を表示する機能をサポートしていない移動局の所有者に対して、緊急情報を報知することができる。
【００８２】
また、本実施例のフェムト基地局１００は、第１メッセージテーブル１２１又は第２メッセージテーブル１２２に記憶されたメッセージの内容を編集することも可能である。このため、フェムト基地局１００は、メッセージの内容を所望の内容に変更可能である。
【００８３】
また、本実施例のフェムト基地局１００は、ディスプレイ１０７及び／又はスピーカ１０９に出力されるメッセージを、フェムト基地局１００と通信可能な他の装置にも出力させる。このため、フェムト基地局１００は、移動局１１の所有者がメッセージを認識する可能性を高めることができ、移動局１１に対する着信を所有者に迅速に気付かせることができる。
【符号の説明】
【００８４】
１  コアネットワーク部
２  ＩＰ網
１１、１１ａ〜１１ｃ  移動局
１００  フェムト基地局
１００ａ  フェムトセル
１０１  通信Ｉ／Ｆ部
１０２  ＢＢ処理部
１０３  ＴＲＸ
１０４  ＰＡ
１０５  ＤＵＰ
１０６  ＬＮＡ
１０７  ディスプレイ
１０８  ディスプレイ駆動回路
１０９  スピーカ
１１０  スピーカ駆動回路
１２０  記憶部
１２１  第１メッセージテーブル
１２２  第２メッセージテーブル
１３０  アプリケーション部
１３１  呼出信号受信部
１３２  緊急性判定部
１３３  信号特定部
１３４  メッセージ出力制御部
１３５  呼出信号転送部
１４０  編集部
【図１】
0005915138.tif 000002
【図２】
0005915138.tif 000003
【図３】
0005915138.tif 000004
【図４】
0005915138.tif 000005
【図５】
0005915138.tif 000006
【図６】
0005915138.tif 000007
【図７】
0005915138.tif 000008
【図８】
0005915138.tif 000009